(57)【特許請求の範囲】
【請求項１】
予め印字され表紙用の帳票片が連続して形成された表紙用連続帳票と、予め印字され頁順に本体紙用の帳票片が連続して形成された本体紙用連続帳票と、予め印字され裏表紙用の帳票片が連続して形成された裏表紙用連続帳票とを各帳票片に切断して丁合する丁合装置において、
前記表紙用連続帳票を帳票片に切断しこれを排出する第１の切断部と、前記本体紙用連続帳票を帳票片に切断しこれを排出する第２の切断部と、前記裏表紙用連続帳票を帳票片に切断しこれを排出する第３の切断部とからなり、前記第１〜第３の切断部が任意の順序で積層されている切断手段と、
前記切断手段から排出された帳票片を、排出された順に、前記第１〜第３の切断部に対して共通に設けられた排出部から排出する搬送部と、
前記排出部から排出された帳票片が積層される紙受け部と、
を有する丁合装置。
【請求項２】
予め印字され表紙用の帳票片が連続して形成された表紙用連続帳票と、予め印字され頁順に帳票片が連続して形成された本体紙用連続帳票と、予め印字され裏表紙用の帳票片が連続して形成された裏表紙用連続帳票とを各帳票片に切断して丁合する丁合装置において、
互いに重ね合わされた前記表紙用連続帳票と裏表紙用連続帳票とを同時に帳票片に切断しこれを排出する第１の切断部と、前記本体紙用連続帳票を帳票片に切断しこれを排出する第２の切断部とからなり、前記第１および第２の切断部の切断した帳票片の排出部が互いに対向している切断手段を有し、
前記第１および第２の切断部から排出される帳票片は、排出される順に積層される丁合装置。
【請求項３】
前記各連続帳票には、各帳票片に切断するためのミシン目が形成されており、
前記切断手段の各切断部は、前記各連続帳票を搬送する２つのローラ対が並列して配置され、これらのローラ対の相対的な搬送速度を異ならせることによって、前記ミシン目を切断し、切断された帳票片を排出する
請求項１または２に記載の丁合装置。
【発明の詳細な説明】
【０００１】
【発明の属する技術分野】
本発明は、製本する際に連続帳票を帳票片に切断し、切断された帳票片を頁順に丁合する丁合装置に関する。
【０００２】
【従来の技術】
例えば、各頁毎に連なる番号が印字された帳票片が頁順に丁合された本体紙に表紙および裏表紙が付された領収書綴や申込書綴等の帳票を製本する際には、丁合する際に頁の抜け落ちや、頁順が誤っていないことが重要である。
上記のような帳票の製本は、従来においては、まず、表紙用の連続帳票、本体紙用の連続帳票および裏表紙用の連続帳票に各帳票片に切断するためのミシン目を形成し、各帳票片毎に印字を行う。
次いで、印字された各連続帳票を例えば、バースタ等の切断装置を用いて、各帳票片に切断する。この工程においては、表紙用の連続帳票、本体紙用の連続帳票および裏表紙用の連続帳票それぞれについて切断装置が平面的に設置される。
【０００３】
次いで、切断装置によって切断された各帳票片は、表紙用の帳票片、本体紙用の帳票片および裏表紙用の帳票片が所定の枚数が搬送装置によって丁合装置に搬送される。
丁合装置では、表紙用の帳票片、本体紙用の帳票片および裏表紙用の帳票片を重ね合わせて仮丁合する。仮丁合された帳票片はステッチャによって綴じ合わされ、帳票が完成する。
【０００４】
【発明が解決しようとする課題】
しかしながら、上記のような帳票の製本工程では、切断する切断装置を表紙用の帳票片、本体紙用の帳票片および裏表紙用の帳票片にそれぞれ対応して平面的に設置しているため、各切断装置から排出された帳票片は互いに平面的に排出され、これを丁合装置に搬送して重ね合わせるには、搬送装置の搬送経路が比較的長くなり、また丁合装置に搬送する際に排出された各帳票片の種類に応じて搬送経路を順次切り換えるといった複雑な搬送経路の制御が必要があり、搬送装置の構造が複雑になる。
このため、従来においては、切断された各帳票を搬送する途中にジャムが発生したり、搬送経路の切換に時間を要するため生産効率が悪く、また、搬送装置のコストが高いという不利益があった。
【０００５】
本発明は、かかる従来の不利益を解消すべくなされたものであって、連続帳票を切断した後に複雑な搬送を行わずに帳票片の正確な丁合が可能な丁合装置を提供することを目的とする。
【０００６】
【課題を解決するための手段】
本発明に係る丁合装置は、予め印字され表紙用の帳票片が連続して形成された表紙用連続帳票と、予め印字され頁順に本体紙用の帳票片が連続して形成された本体紙用連続帳票と、予め印字され裏表紙用の帳票片が連続して形成された裏表紙用連続帳票とを各帳票片に切断して丁合する丁合装置において、前記表紙用連続帳票を帳票片に切断しこれを排出する第１の切断部と、前記本体紙用連続帳票を帳票片に切断しこれを排出する第２の切断部と、前記裏表紙用連続帳票を帳票片に切断しこれを排出する第３の切断部とからなり、前記第１〜第３の切断部が任意の順序で積層されている切断手段と、前記切断手段から排出された帳票片を、排出された順に、前記第１〜第３の切断部に対して共通に設けられた排出部から排出する搬送部と、前記排出部から排出された帳票片が積層される紙受け部と、を有する。
【０００７】
本発明に係る丁合装置は、予め印字され表紙用の帳票片が連続して形成された表紙用連続帳票と、予め印字され頁順に帳票片が連続して形成された本体紙用連続帳票と、予め印字され裏表紙用の帳票片が連続して形成された裏表紙用連続帳票とを各帳票片に切断して丁合する丁合装置において、互いに重ね合わされた前記表紙用連続帳票と裏表紙用連続帳票とを同時に帳票片に切断しこれを排出する第１の切断部と、前記本体紙用連続帳票を帳票片に切断しこれを排出する第２の切断部とからなり、前記第１および第２の切断部の切断した帳票片の排出部が互いに対向している切断手段を有し、前記第１および第２の切断部から排出される帳票片は、排出される順に積層されることを特徴とする。
【０００８】
本発明に係る丁合装置は、好ましくは、前記各連続帳票には、各帳票片に切断するためのミシン目が形成されており、前記切断手段の各切断部は、前記各連続帳票を搬送する２つのローラ対が並列して配置され、これらのローラ対の相対的な搬送速度を異ならせることによって、前記ミシン目を切断し、切断された帳票片を排出する。
【０００９】
【発明の実施の形態】
以下、本発明の実施の形態を図面を参照して詳細に説明する。
第１実施形態
図１は、本発明に係る丁合装置の一実施形態を示す構成図である。
図１に示すように、丁合装置１は、表紙用連続帳票送り部３と、表紙用連続帳票２０、本体紙用連続帳票２１および裏表紙用連続帳票２２を各帳票片に切断する切断部５と、切断された各帳票片を突き揃え用ジョガ６１に搬送する搬送部７とを有する。
【００１０】
表紙用連続帳票送り部３は、切断部５に表紙用連続帳票２０を供給する。
表紙用連続帳票２０は、表用、中間用および裏用の３枚の連続帳票２０ａ、２０ｂおよび２０ｃから構成され、各連続帳票は、例えば、図４に示すような構造になっている。
図４において、連続帳票２０の連続方向には、所定間隔で切断用のミシン目Ｃ１が形成されており、このミシン目によって各帳票片が仕切られている。各帳票片には所定の印刷が施されており、ミシン目Ｃ１を切断することによって、連続帳票２０を各帳票片に分割することが可能となっている。
また、連続帳票２０の両側部は連続方向に沿ってミシン目Ｃ２によって仕切られ、この両端部には、連続帳票２０を搬送するためのスプロケットと噛み合うスプロケット孔が所定の間隔で形成されている。ミシン目Ｃ２で切断することにより、連続帳票２０の両端部を分離可能となっている。
【００１１】
また、後述する本体紙用連続帳票２１および裏表紙用連続帳票２２も図４に示す構造とまったく同様となっている。本体紙用連続帳票２１の場合には、各頁に応じた内容の印刷が施され、頁数に応じた番号が連続する順番に印字されている。
【００１２】
上記のように形成された各連続帳票は、ミシン目Ｃ１で折り畳まれた状態で、表紙用連続帳票送り部３に供給される。
表紙用連続帳票送り部３において、駆動軸３３は、軸方向の両側に図示しないスプロケットが設けられており、重ね合わされた３枚の連続帳票２０ａ〜２０ｃのスプロケット孔ｈに噛み合って、連続帳票２０ａ〜２０ｃを矢印Ｅ方向に送る。
このとき、表用の連続帳票２０ａは案内部Ｇ１によって案内され、中間用の連続帳票２０ｂは案内部Ｇ５および案内ローラ３１によって案内され、裏用の連続帳票２０ｃは案内部Ｇ６および案内ローラ３２によって案内される。
これによって、３枚の連続帳票２０ａ〜２０ｃは滑らかに搬送される。
また、中間用の連続帳票２０ｂおよび裏用の連続帳票２０ｃは案内ローラ３１、３２の位置において、接着剤塗布装置３５、３６によってそれぞれ接着剤が塗布され、これにより搬送される３枚の連続帳票２０ａ〜２０ｃは互いに接着されることになる。
【００１３】
また、表紙用連続帳票送り部３には、ダンサーコントロール１５が設けられており、このダンサーコントロール１５は、互いに接着された３枚の連続帳票２０ａ〜２０ｃからなる表紙用連続帳票２０が表紙用連続帳票送り部３と切断部５との間で一定の張力になるように保持するため機構である。
ダンサーコントロール１５の構造は、図２（ａ）に示すように、所定の角度範囲で回転自在に支持されたアーム１５ｂの先端にバー１５ａがアーム１５ｂに直行する方向に取り付けられており、このバー１５ａが自重によって表紙用連続帳票２０を押圧するようになっている。
表紙用連続帳票２０は、バー１５ａによって押圧されることにより、弛みが防止され、表紙用連続帳票２０が弛み過ぎてアーム１５ｂが所定の角度範囲外まで回転したり、表紙用連続帳票２０が引っ張られ過ぎて所定の角度範囲外まで回転すると、駆動軸３３の駆動が停止されるようになっている。
この結果、表紙用連続帳票２０は、安定した状態で切断部５に供給されることになる。
【００１４】
上記した表紙用連続帳票２０とともに、本体紙用連続帳票２１および裏表紙用連続帳票２２が供給される切断部５は、供給された各連続帳票の連続方向に所定の間隔で形成されたミシン目Ｃ１を切断するバースタ９，１１，１３が３段に積層されている。
表紙用連続帳票２０，本体紙用連続帳票２１および裏表紙用連続帳票２２は、それぞれ、切断部５に設けられた案内部Ｇ２，Ｇ３，Ｇ４によって案内されてバースタ９，１１，１３に供給される。
案内部Ｇ２，Ｇ３，Ｇ４の構造は、例えば、図２（ｂ），（ｃ）に示すような構造となっている。
【００１５】
案内部Ｇ２は、図２（ｂ）に示すように、連結部材４３によって回転自在に支持された２本の軸４１および４２を有しており、表紙用連続帳票２０は軸４１および４２の間を通じて切断部５のバースタ９に供給される。連結部材４３は、軸４４を中心に回転自在となっている。
このため、表紙用連続帳票２０の張り具合に応じて、案内部Ｇ２は軸４４を中心に揺動するため、表紙用連続帳票２０の搬送は滑らかになり、表紙用連続帳票２０のミシン目Ｃ１で切断されることが防止される。
また、案内部Ｇ３，Ｇ４は、図２（ｃ）に示すように、連結部材４６によって回転自在に支持された２本の軸４５および４６を有し、連結部材４６は軸４８を中心に回転自在となっており、案内部Ｇ２と同様な作用をする。
なお、上記した案内部Ｇ１，Ｇ５，Ｇ６の構造も同様な構造となっている。
【００１６】
表紙用のバースタ９は、表紙用連続帳票２０を間に挟んでこれらを搬送する２組の供給側搬送ローラ９ａおよび排出側９ｂからなる。
本体紙用バースタ１１も、本体紙用連続帳票２１を間に挟んで搬送する２組の供給側搬送ローラ１１ａおよび排出側搬送ローラ１１ｂからなり、裏表紙用バースタ１３も、裏表紙用連続帳票２２を間に挟んで搬送する２組の供給側搬送ローラ１３ａおよび排出側搬送１３ｂからなる。
各バースタ９，１１，１３は、供給側搬送ローラ９ａ，１１ａ，１３ａの回転速度よりも、排出側搬送ローラ９ｂ，１１ｂ，１３ｂの回転速度を速くすることによって、供給側搬送ローラ９ａ，１１ａ，１３ａと排出側搬送ローラ９ｂ，１１ｂ，１３ｂとの間に挟まれた各連続帳票２０、２１、２２に張力を生じさせることにより、上記した各連続帳票２０、２１、２２に形成されたミシン目Ｃ１を切断して各帳票片を分離する。
分離された各帳票片は、排出側搬送ローラ９ｂ，１１ｂ，１３ｂによって、搬送部７に排出される。
【００１７】
搬送部７は、各バースタ９，１１，１３によって分離され、排出された各帳票片を、排出された順にそのまま排出部７ａから突き揃え用ジョガ６１に搬送する。
搬送部７の内部構造は図示していないが、各バースタ９，１１，１３から排出された各帳票片をそのまま排出部７ａに送る構造となっており、非常に構造が簡素である。
【００１８】
次に、上記の本実施形態に係る丁合装置の動作について説明する。
上記折り畳まれた表紙用連続帳票２０は、表用連続帳票２０ａが案内部Ｇ１，に案内されながら供給され、中間用および裏用の連続帳票２０ｂおよび２０ｃは、接着剤塗布装置３５、３６によってそれぞれ接着剤が塗布されながら供給され、表用連続帳票２０ａ、中間用連続帳票２０ｂおよび裏用連続帳票２０ｃは互いに接着された状態で、案内部Ｇ２を介して切断部５の最上段のバースタ９に供給される。
また、本体用連続帳票２１は、案内部Ｇ３を介して中段のバースタ１１に供給され、裏表紙用連続帳票２２は、案内部Ｇ４を介して最下段のバースタ１３に供給される。
【００１９】
各バースタ９，１１，１３では、供給側搬送ローラ９ａ，１１ａ，１３ａと排出側搬送ローラ９ｂ，１１ｂ，１３ｂとの回転速度差によって、各連続帳票２０、２１、２２に形成されたミシン目Ｃ１を切断して各帳票片に分離し、搬送部７に排出する。
【００２０】
各バースタ９，１１，１３間の切断のタイミングは、まず、最上段のバースタ９によって表紙用連続帳票２０の帳票片が最初に切断分離される。分離された表紙用の帳票片は、搬送部７を通じて排出部７ａから突き揃え用ジョガ６１に排出される。
次いで、中段のバースタ１１によって、所定の頁数の本体用連続帳票２１が帳票片の頁の昇順に順次切断される。切断された帳票片は搬送部７を通じて排出部７ａから順次突き揃え用ジョガ６１に排出され、上記した表紙用の帳票片の上に頁順に積層される。
本体用連続帳票２１の所定の頁数の切断および突き揃え用ジョガ６１への搬送が完了すると、最下段のバースタ１３によって、裏表紙用連続帳票２２の帳票片が切断され、搬送部７を通じて排出部７ａから突き揃え用ジョガ６１に排出され、本体用連続帳票２１の最終頁の帳票片上に積層される。
突き揃え用ジョガ６１に積層された帳票２５は、突き揃え用ジョガ６１において突き揃えられ、これにより仮丁合工程が完了する。
仮丁合された帳票２５は、例えばステッチャーによって綴じられる。これにより、表用、中間用および裏用の３枚の帳票片から構成される表紙と、所定の頁数の帳票片からなる本体と、裏表紙とからなる帳票の製本が完成する。
【００２１】
以上のように、本実施形態に係る丁合装置によれば、３台のバースタ９，１１，１３が３段に重ねられており、切断された帳票片は、搬送部７の排出部７ａを通じてそのまま排出・積層されるため、３台のバースタ９，１１，１３の切断順序によって帳票片の任意の丁合が可能となる。
このため、各帳票片が所望の順序で丁合されているか否かの検査が必要なくなり、丁合工程における工数を削減することができる。
また、搬送部７の排出部７ａが共通しているため、搬送経路の切換が必要なく、複雑な搬送制御が必要なくなり、装置の低コスト化が可能となる。
さらに、搬送部７は、バースタ９，１１，１３から排出された帳票片をそのまま搬送するのみであり、複雑な搬送経路の切換が必要なく、短い搬送経路で済むため、搬送中に帳票片がジャミングすることが大幅に低減される。
【００２２】
第２実施形態
図３は、本発明に係る丁合装置の第２の実施形態を示す構成図である。
図３において、丁合装置５１は、表紙および裏表紙用の連続帳票送り部５６と、連続帳票送り部５６から供給される連続帳票２４を帳票片に切断し排出するバースタ５２と、本体紙用連続帳票２１が供給されこれを帳票片に切断し排出するバースタ５３と、切断されてバースタ５２および５３から排出される各帳票片を積層載置するスタッカ５５とを有する。
【００２３】
連続帳票送り部５６は、表用連続帳票２０ａおよび裏用連続帳票２０ｃからなる表紙用連続帳票２０と、裏表紙用連続帳票２２とを重ね合わせ、この重ね合わされた連続帳票２４をバースタ５２に供給する。なお、表紙用連続帳票２０と裏表紙用連続帳票２２とは、表紙用連続帳票２０の表用連続帳票２０ａおよび裏用連続帳票２０ｃの表面が上向きで、裏表紙用連続帳票２２の表面が下向きになるように重ね合わされる。
また、表紙用連続帳票２０、裏表紙用連続帳票２１および本体紙用連続帳票２２には、上記第１実施形態で説明したように、連続帳票の連続方向に所定の間隔で切断用のミシン目Ｃ１が形成されている。
【００２４】
バースタ５２および５３は、それぞれ連続帳票２４若しくは本体用連続帳票２１を間に挟んで搬送する２組の供給側搬送ローラ５２ａ，５３ａおよび排出側搬送ローラ５２ｂ，５３ｂからなり、供給側搬送ローラ５２ａ，５３ａと排出側搬送ローラ５２ｂ，５３ｂとの回転速度差によって、供給される各連続帳票の連続方向に所定の間隔で形成されたミシンメＣ１を切断して排出する。
また、バースタ５２および５３は、排出部５２ｃおよび５３ｃが互いに対向するように設置されている。
また、スタッカ５５は、バースタ５２および５３によって切断分離された各帳票片が載置積層される。
【００２５】
次に、上記のように構成される丁合装置５１の動作について説明する。
まず、バースタ５２が駆動され、バースタ５２に上記したように重ね合わされて供給された表紙用連続帳票２０および裏表紙用連続帳票２２からなる連続帳票２４は、バースタ５２によってミシン目Ｃ１で切断されて帳票片に分離され、スタッカ５５上に載置される。
なお、図３では、スタッカ５５上に載置された帳票片は、表紙用連続帳票２０の裏用連続帳票２０ｃ，表用連続帳票２０ａ，裏表紙用連続帳票２１の帳票片の順に積層されている。
【００２６】
次いで、バースタ５３が駆動され、バースタ５３に供給された本体用連続帳票２１は、バースタ５３によってミシン目Ｃ１で切断され、帳票片に分離され、スタッカ５５上に載置された表紙用連続帳票２０および裏表紙用連続帳票２２からなる連続帳票２４の帳票片上に積層される。
バースタ５３によって切断される本体用連続帳票２１は、頁の降順に切断され、スタッカ５５上に頁の降順にしたがって順次積層されていく。
【００２７】
次いで、再度バースタ５２が駆動され、連続帳票２４を構成する裏用連続帳票２０ｃ，表用連続帳票２０ａおよび裏表紙用連続帳票２２の帳票片が同時に切断されて、スタッカ５５上に既に積層された本体用連続帳票２１の帳票片上に裏用連続帳票２０ｃ，表用連続帳票２０ａおよび裏表紙用連続帳票２２の順に積層される。
これにより、スタッカ５５上に積層された帳票片は、最下部から順に、裏用連続帳票２０ｃ，表用連続帳票２０ａおよび裏表紙用連続帳票２１の帳票片、頁の降順に積層された本体用連続帳票２１の帳票片、並びに、裏用連続帳票２０ｃ，表用連続帳票２０ａおよび裏表紙用連続帳票２１の帳票片の順に積層される。
したがって、最下部の裏用連続帳票２０ｃおよび表用連続帳票２０ａと最上部の裏表紙用連続帳票２１を除いた残りによって一冊の帳票が構成される。
【００２８】
以上のように本実施形態に係る丁合装置５１によれば、２台のバースタ５２、５３の排出部５２ｃおよび５３ｃを対向配置させ、バースタ５２、５３の排出部５２ｃおよび５３ｃから排出される帳票片がそのままスタッカ５５上に積層載置されるため、バースタ５２、５３の切断順序によって帳票片の丁合が可能となる。
このため、各帳票片が所望の順序で丁合されているか否かの検査が必要なくなり、丁合工程における工数を削減することができる。
また、バースタ５２、５３の排出部５２ｃおよび５３ｃから排出される帳票片は搬送装置によって搬送する必要がないため、搬送中に帳票片がジャミングすることがなく、かつ装置を非常に低コスト化することができる。
【００２９】
なお、上記第１および第２の実施形態では、各連続帳票の切断に、バースタを使用したのは、装置構成が簡素であり、切断後の帳票片の長さ寸法が正確である等の理由によるが、本発明の切断手段はバースタに限定されるわけではなく、他のカッタ等を用いた切断手段を使用することが可能である。
【００３０】
【発明の効果】
本発明によれば、連続帳票を切断した後の複雑な搬送行わないとともに、切断された帳票片の正確な丁合が可能となり、帳票片の搬送時のトラブルを低減または防止することができ、製本の効率を向上させることができる。
また、本発明によれば、帳票片の切断後の搬送経路の短縮化および不要化が可能となり丁合装置の低コスト化が可能となる。
【図面の簡単な説明】
【図１】本発明に係る丁合装置の第１の実施形態の概略構成図である。
【図２】（ａ）〜（ｃ）は、図１に示す各案内部の構造を示す斜視図である。
【図３】本発明に係る丁合装置の第２の実施形態を示す概略構成図である。
【図４】連続帳票の構造の一例を示す平面図である。
【符号の説明】
１，５１…丁合装置
３…連続帳票供給部
５…切断部
７…搬送部
２０〜２２…連続帳票
９，１１，１３…バースタ
６１…突き揃え用ジョガ
Ｇ１〜Ｇ６…案内部
【図１】
0003734235.tif 000002
【図２】
0003734235.tif 000003
【図３】
0003734235.tif 000004
【図４】
0003734235.tif 000005